(57)【要約】【課題】物理帯域の有効活用が図れる伝送装置等を提供する。【解決手段】ノードは、同一ポートに入力するｍｐ２ｍｐ信号及びｐ２ｐ信号の優先度に応じて、優先度が高い方の信号に当該ポートの使用帯域を割り当てる信号処理部を有する。ノードは、自ポート又は自ポートの出力先がｍｐ２ｍｐ信号を予備信号として廃棄処理するか否かを判定する判定部を有する。ノードは、自ポート又は出力先がｍｐ２ｍｐ信号を予備信号として廃棄処理すると判定された場合に、ｍｐ２ｍｐ信号の優先度よりも高くなるように、自ポートに入力するｐ２ｐ信号の優先度を変更する制御部を有する。【選択図】図１
2015192237.tif 000002
【特許請求の範囲】
【請求項１】
自装置内の同一ポートに入力する第１の信号及び第２の信号の優先度に応じて、前記優先度が高い方の信号に当該ポートの帯域を割り当てる割当部と、
前記自装置内の自ポート又は自ポートの出力先が前記第１の信号を冗長構成の予備に使用するか否かを判定する判定部と、
前記判定部にて前記自ポート又は前記出力先が前記第１の信号を前記予備に使用すると判定された場合に、前記第１の信号の優先度よりも高くなるように、前記自ポートに入力する前記第２の信号の優先度を変更する制御部と
を有することを特徴とする伝送装置。
【請求項２】
前記制御部は、
前記第１の信号及び前記第２の信号が前記自ポートに入力する前段で前記第２の信号の優先度を変更し、
前記割当部は、
前記変更後の優先度に応じて前記第１の信号及び前記第２の信号に前記自ポートの前記帯域を割り当てる
ことを特徴とする請求項１に記載の伝送装置。
【請求項３】
前記制御部は、
前記第２の信号の優先度を変更し、前記割当部で前記変更後の優先度に応じて前記第１の信号及び前記第２の信号に当該自ポートの前記帯域を割り当てた後、前記第２の信号の優先度を変更前の優先度に戻し、当該第２の信号を出力することを特徴とする請求項１又は２に記載の伝送装置。
【請求項４】
前記出力先が前記自ポートに対向する相手先伝送装置のポートであることを特徴とする請求項１〜３の何れか一つに記載の伝送装置。
【請求項５】
前記判定部は、
前記相手先伝送装置から当該相手先伝送装置のポートの状態を示す状態情報を収集し、前記状態情報に基づき、前記相手先伝送装置側の前記ポートが前記第１の信号の前記予備に使用するか否かを判定することを特徴とする請求項４に記載の伝送装置。
【請求項６】
複数の伝送装置を有し、複数の伝送装置との間で第１の信号及び第２の信号を伝送する伝送システムであって、
各伝送装置は、
自装置内の同一ポートに入力する第１の信号及び第２の信号の優先度に応じて、前記優先度が高い方の信号に当該ポートの帯域を割り当てる割当部と、
前記自装置内の自ポート又は自ポートの出力先が前記第１の信号を冗長構成の予備に使用するか否かを判定する判定部と、
前記判定部にて前記自ポート又は前記出力先が前記第１の信号を前記予備に使用すると判定された場合に、前記第１の信号の優先度よりも高くなるように、前記自ポートに入力する前記第２の信号の優先度を変更する制御部と
を有することを特徴とする伝送システム。
【請求項７】
自装置内の同一ポートに入力する第１の信号及び第２の信号の優先度に応じて、前記優先度が高い方の信号に当該ポートの帯域を割り当て、
前記自装置内の自ポート又は自ポートの出力先が前記第１の信号を冗長構成の予備に使用するか否かを判定し、
前記自ポート又は前記出力先が前記第１の信号を前記予備に使用すると判定された場合に、前記第１の信号の優先度よりも高くなるように、前記自ポートに入力する前記第２の信号の優先度を変更する
処理を実行することを特徴とする伝送方法。
【請求項８】
伝送装置に、
自装置内の同一ポートに入力する第１の信号及び第２の信号の優先度に応じて、前記優先度が高い方の信号に当該ポートの帯域を割り当て、
前記自装置内の自ポート又は自ポートの出力先が前記第１の信号を冗長構成の予備に使用するか否かを判定し、
前記自ポート又は前記出力先が前記第１の信号を前記予備に使用すると判定された場合に、前記第１の信号の優先度よりも高くなるように、前記自ポートに入力する前記第２の信号の優先度を変更する
処理を実行させることを特徴とする伝送プログラム。
【発明の詳細な説明】
【技術分野】
【０００１】
本発明は、伝送装置、伝送システム、伝送方法及び伝送プログラムに関する。
【背景技術】
【０００２】
例えば、広帯域イーサネット（登録商標）等の通信網では、物理パスを複数の信号で共用化し、多種多様なサービスを提供している。サービスには、冗長パスを用いた帯域保証サービスや、信号ロスを許容するベストエフォートサービス等がある。また、通信方式には、ｍｐ２ｍｐ（multi  points  to  multi  points）信号等のマルチキャスト方式やブロードキャスト方式、ｐ２ｐ（peer  to  peer）信号等のユニキャスト方式がある。
【０００３】
近年、通信網では、ユニキャスト方式に比較してブロードキャスト方式やマルチキャスト方式での信号配信が増加している。ブロードキャスト方式やマルチキャスト方式での信号配信では、冗長パスでの使用帯域の有効活用が望まれている。
【０００４】
複数のパスを冗長化した通信網では、信号の重複受信（ループ）を回避するスパニングツリープロトコル（ｘｓｔｐ(spanning  tree  protocol)）が採用されている。そして、通信網内の冗長パス上の伝送装置には、予備ポート(Alternated  Port)が設定されると、運用信号を冗長化した予備信号を予備ポートで廃棄する機能がある。
【先行技術文献】
【特許文献】
【０００５】
【特許文献１】特開２００６−４９９６３号公報
【発明の概要】
【発明が解決しようとする課題】
【０００６】
しかしながら、伝送装置では、廃棄対象の予備信号と他のサービスの信号とが同一ポートで競合した場合に、予備信号が廃棄されるにもかかわらず、その予備信号にポートの使用帯域が割り当てられて他のサービスの信号伝送が阻害されてしまう。その結果、物理帯域の有効活用が図れていないのが実情である。
【０００７】
一つの側面では、物理帯域の有効活用が図れる伝送装置等を提供することを目的とする。
【課題を解決するための手段】
【０００８】
一つの案は、割当部と、判定部と、制御部とを有する。割当部は、自装置内の同一ポートに入力する第１の信号及び第２の信号の優先度に応じて、前記優先度が高い方の信号に当該ポートの帯域を割り当てる。判定部は、前記自装置内の自ポート又は自ポートの出力先が前記第１の信号を冗長構成の予備に使用するか否かを判定する。制御部は、前記判定部にて前記自ポート又は前記出力先が前記第１の信号を前記予備に使用すると判定された場合に、前記第１の信号の優先度よりも高くなるように、前記自ポートに入力する前記第２の信号の優先度を変更する。
【発明の効果】
【０００９】
物理帯域の有効活用が図れる。
【図面の簡単な説明】
【００１０】
【図１】図１は、本実施例の伝送システムの各ノードの一例を示す説明図である。
【図２】図２は、本実施例の伝送システムの一例を示す説明図である。
【図３】図３は、優先度テーブルの一例を示す説明図である。
【図４】図４は、各ノードのポートの状態遷移図である。
【図５】図５は、同一ポート競合時の伝送システムの一例を示す説明図である。
【図６】図６は、同一ポート競合時のポート使用帯域の各信号の割当構成の一例を示す説明図である。
【図７】図７は、優先度設定処理実行前の伝送システムの動作の一例（相手先ノード側のポートがＡｌｔｅｒｎａｔｅｄポートの場合）を示す説明図である。
【図８】図８は、優先度設定処理実行後の伝送システムの動作の一例（相手先ノード側のポートがＡｌｔｅｒｎａｔｅｄポートの場合）を示す説明図である。
【図９】図９は、優先度設定処理実行前の伝送システムの動作の一例（自ポートがＡｌｔｅｒｎａｔｅｄポートの場合）を示す説明図である。
【図１０】図１０は、優先度設定処理実行後の伝送システムの動作の一例（自ポートがＡｌｔｅｒｎａｔｅｄポートの場合）を示す説明図である。
【図１１】図１１は、優先度設定処理に関わるノードの処理動作の一例を示すフローチャートである。
【図１２】図１２は、優先度設定処理に関わるノードの処理動作の一例を示すフローチャートである。
【図１３】図１３は、伝送プログラムを実行する伝送装置の一例を示す説明図である。
【発明を実施するための形態】
【００１１】
以下、図面に基づいて、本願の開示する伝送装置、伝送システム、伝送方法及び伝送プログラムの実施例を詳細に説明する。尚、本実施例により、開示技術が限定されるものではない。また、以下に示す実施例は、矛盾を起こさない範囲で適宜組み合わせても良い。
【実施例】
【００１２】
図１は、本実施例の伝送システムの各ノードの一例を示す説明図、図２は、本実施例の伝送システムの一例を示す説明図である。図１に示す伝送システム１は、複数のノード２同士を光回線３で接続して構成する。尚、説明の便宜上、図２に示すように伝送システム１内のノード２を４台とし、第１のノード２Ａ、第２のノード２Ｂ、第３のノード２Ｃ及び第４のノード２Ｄとする。各ノード２は、複数のインタフェースユニット（以下、ＩＦユニットと称する）１１と、スイッチユニット（以下、ＳＷユニットと称する）１２と、管理ユニット１３とを有する。各ＩＦユニット１１は、光回線３と接続する入出力のポートに相当し、光モジュール２１と、ネットワークプロセッサ（以下、ＮＷプロセッサと称する）２２と、トラフィック管理部２３と、ローカル記憶部２４と、ＣＰＵ２５とを有する。尚、ノード２は、複数のＩＦユニット１１を有し、例えば、ＩＦユニット１１が２個の場合、第１のＩＦユニット１１Ａ及び第２のＩＦユニット１１Ｂとする。また、例えば、ＩＦユニット１１が４個の場合、第１のＩＦユニット１１Ａ、第２のＩＦユニット１１Ｂ、第３のＩＦユニット１１Ｃ及び第４のＩＦユニット１１Ｄとする。尚、ノード２内のＩＦユニット１１の個数は適宜変更可能である。
【００１３】
光モジュール２１は、光回線３からの光信号を電気信号に変換すると共に、電気信号を光信号に変換して光回線３に出力する光電変換部である。ＮＷプロセッサ２２は、電気信号のフレーム構成、例えば、ＶＬＡＮ（Virtual  Local  Area  Network）情報のタグ変換等の信号処理や、電気信号に対するポリシングやシェイピング処理等の信号処理を実行する。
【００１４】
ＮＷプロセッサ２２は、優先度制御部２２Ａと、割当部である信号処理部２２Ｂとを有する。優先度制御部２２Ａは、自ポートが複数の信号で競合する場合、各信号の優先度を比較する。尚、優先度は、自ポートの使用帯域に優先的に割り当てるべき信号の優先度に相当し、例えば、最上位の優先度を“Ａ”とし、Ａ→Ｂ→Ｃ→Ｄ→Ｅ→Ｆ→Ｇ→Ｈの順に徐々に優先度が低くなる。信号処理部２２Ｂは、自ポートに入力する各信号の優先度の比較結果に基づき、自ポートに入力する信号に対して信号処理を実行する。優先度制御部２２Ａは、例えば、自ポートに入力するｍｐ２ｍｐ信号の優先度が“Ｃ”、ｐ２ｐ信号の優先度が“Ｆ”の場合、各信号の優先度を比較する。信号処理部２２Ｂは、ｍｐ２ｍｐ信号の優先度がｐ２ｐ信号の優先度よりも高い場合、ｍｐ２ｍｐ信号に自ポートの使用帯域を優先的に割り当て、更に、自ポートの余剰の使用帯域にｐ２ｐ信号を割り当てる。その結果、信号処理部２２Ｂは、ｍｐ２ｍｐ信号を優先的に出力する。また、信号処理部２２Ｂは、例えば、自ポートのポートロール／ポート状態がＡｌｔｅｒｎａｔｅｄ／Ｄｉｓｃａｒｄの場合、自ポートに入力するｍｐ２ｍｐ信号を廃棄する。
【００１５】
トラフィック管理部２３は、帯域制御部２３Ａを有する。帯域制御部２３Ａは信号処理部２２Ｂで付加された優先処理情報を参照し出力帯域制御を行う。ＣＰＵ２５は、ＩＦユニット１１全体を制御する。更に、ＣＰＵ２５は、他のノード２との間で制御信号であるＢＰＤＵ（Bridge  Protocol  Data  unit）信号を終端する。ローカル記憶部２４は、ＩＦユニット１１で使用する、例えば、ローカルソフトウェア等の各種情報を記憶する領域である。
【００１６】
ＳＷユニット１２は、ＩＦユニット１１同士で信号フロー毎に信号パスを切替えるユニットである。ＳＷユニット１２は、パケットＳＷ３１と、ローカル記憶部３２と、ＣＰＵ３３とを有する。パケットＳＷ３１は、ＩＦユニット１１同士で信号フロー毎に信号パスを切替える。ローカル記憶部３２は、ＳＷユニット１２で使用する、例えばローカルソフトウェア等の各種情報を記憶する領域である。ＣＰＵ３３は、ＳＷユニット１２全体を制御する。
【００１７】
管理ユニット１３は、ノード２全体を制御するユニットに相当し、Ｌ２ＳＷ４１と、記憶部４２と、システムＣＰＵ４３とを有する。Ｌ２ＳＷ４１は、各ＩＦユニット１１内のＣＰＵ２５やＳＷユニット１２内のＣＰＵ３３と通信するためのスイッチである。記憶部４２は、例えば、システムソフトウェア等の各種情報を記憶する領域である。各種情報には、優先度テーブル４４を有する。図３は、優先度テーブル４４の一例を示す説明図である。
【００１８】
図３に示す優先度テーブル４４は、各サービスの信号毎に使用パスを管理し、アドレス４４Ａと、入力ポート４４Ｂと、出力ポート４４Ｃと、優先度４４Ｄとを対応付けて管理している。アドレス４４Ａは、優先度テーブル４４内の記憶領域を識別する情報である。入力ポート４４Ｂは、使用パスの入力ポートのＩＦユニット１１を識別する情報である。出力ポート４４Ｃは、使用パスの出力ポートのＩＦユニット１１を識別する情報である。優先度４４Ｄは、使用パスを通過する信号の優先度である。
【００１９】
ＣＰＵ４３は、監視部４３Ａと、判定部４３Ｂと、制御部４３Ｃとを有する。監視部４３Ａは、各ＩＦユニット１１内のＮＷプロセッサ２２を通じて各ノード２のＢＰＤＵ信号を用いて、各ノード２内のＩＦユニット１１相当のポートのポートロールやポート状態等の状態情報を収集する。
【００２０】
判定部４３Ｂは、状態情報の収集結果に基づき、自ポート又は自ポートの出力先のポートロール／ポート状態を確認し、自ポート又は出力先がｍｐ２ｍｐ信号を予備信号として廃棄処理するか否かを判定する。判定部４３Ｂは、自ポートがＡｌｔｅｒｎａｔｅｄ／Ｄｉｓｃａｒｄの場合、自ポートがｍｐ２ｍｐ信号を予備信号として廃棄処理すると判定する。また、判定部４３Ｂは、自ポートに対応する出力先である相手先ノード２内の入力ポートがＡｌｔｅｒｎａｔｅｄ／Ｄｉｓｃａｒｄの場合、出力先がｍｐ２ｍｐ信号を予備信号として廃棄処理すると判定する。制御部４３Ｃは、自ポート又は出力先がｍｐ２ｍｐ信号を予備信号として廃棄処理すると判定された場合、ｍｐ２ｍｐ信号及びｐ２ｐ信号の使用パスを図示せぬテーブルから検索する。制御部４３Ｃは、検索された使用パスのｍｐ２ｍｐ信号及びｐ２ｐ信号の優先度を優先度テーブル４４から収集する。制御部４３Ｃは、ｐ２ｐ信号の優先度とｍｐ２ｍｐ信号の優先度とを比較し、ｍｐ２ｍｐ信号の優先度よりも高くなるように自ポートに入力するｐ２ｐ信号の優先度を変更する。
【００２１】
制御部４３Ｃは、出力先がｍｐ２ｍｐ信号を予備信号として廃棄処理すると判定し、例えば、ｐ２ｐ信号の優先度が“Ｆ”、ｍｐ２ｍｐ信号の優先度が“Ｄ”の場合、ｐ２ｐ信号の優先度を“Ｆ”→“Ｃ”に変更する。そして、制御部４３Ｃは、ｐ２ｐ信号及びｍｐ２ｍｐ信号の予備信号が入力する自ポート前段の入力ポートであるＩＦユニット１１の優先度制御部２２Ａに対してｐ２ｐ信号の優先度を“Ｆ”→“Ｃ”に変更する変更要求を出力する。尚、説明の便宜上、図８に示すように、例えば、自ポートを第３のノード２Ｃの第４のＩＦユニット１１Ｄとした場合、自ポート前段の入力ポートは、第３のノード２Ｃ内の第３のＩＦユニット１１Ｃである。更に、制御部４３Ｃは、ｐ２ｐ信号及びｍｐ２ｍｐ信号の予備信号が入力する自ポートであるＩＦユニット１１の優先度制御部２２Ａに対して、使用帯域の割当後にｐ２ｐ信号の優先度を“Ｃ”→“Ｆ”の変更前に戻す回復要求を出力する。自ポート前段のＩＦユニット１１内の優先度制御部２２Ａは、変更要求を検出すると、ｐ２ｐ信号の優先度を“Ｆ”→“Ｃ”に変更する。そして、自ポート前段のＩＦユニット１１内の信号処理部２２Ｂは、ｐ２ｐ信号の優先度を変更し、ＳＷユニット１２経由で“Ｃ”のｐ２ｐ信号を自ポートであるＩＦユニット１１に入力する。
【００２２】
自ポートのＩＦユニット１１内の信号処理部２２Ｂは、ｍｐ２ｍｐ信号の予備信号及びｐ２ｐ信号を入力し、ｐ２ｐ信号の優先度がｍｐ２ｍｐ信号の優先度よりも高くなるため、ｐ２ｐ信号に自ポートの使用帯域を優先的に割り当てる。そして、自ポートのＩＦユニット１１内の信号処理部２２Ｂは、ｐ２ｐ信号に自ポートの使用帯域を優先的に割り当てた後、ｐ２ｐ信号を優先的に出力する。また、ｐ２ｐ信号を優先的に出力する際、信号処理部２２Ｂは、回復要求を検出しているため、出力するｐ２ｐ信号の優先度を“Ｃ”から変更前の“Ｆ”に戻し、優先度“Ｆ”のｐ２ｐ信号を対向ノード２に出力する。つまり、ｐ２ｐ信号に自ポートの使用帯域を優先的に割り当てた後、ｐ２ｐ信号の優先度を変更前の優先度に戻すことで、出力先の対向ノード２への優先度変更の影響を防止できる。
【００２３】
また、制御部４３Ｃは、出力先が自ノード２内の自ポートに対応する出力ポートに相当し、出力先がｍｐ２ｍｐ信号を予備信号として廃棄処理すると判定する。制御部４３Ｃは、出力先がｍｐ２ｍｐ信号を予備信号として廃棄処理すると判定され、例えば、ｐ２ｐ信号の優先度が“Ｆ”、ｍｐ２ｍｐ信号の優先度が“Ｄ”の場合、ｐ２ｐ信号の優先度を“Ｆ”→“Ｃ”に変更する。制御部４３Ｃは、ｐ２ｐ信号及びｍｐ２ｍｐ信号の予備信号が入力する自ポートのＩＦユニット１１の優先度制御部２２Ａに対してｐ２ｐ信号の優先度を“Ｆ”→“Ｃ”に変更する変更要求を出力する。尚、説明の便宜上、図１０に示すように、例えば、自ポートを第２ノード２Ｂの第４のＩＦユニット１１Ｄとした場合、自ポートに対応する出力ポートは第２のノード２Ｂの第３のＩＦユニット１１Ｃに相当する。更に、制御部４３Ｃは、ｐ２ｐ信号及び予備信号が入力する自ポートのＩＦユニット１１内の優先度制御部２２Ａに対してｐ２ｐ信号の優先度を“Ｃ”→“Ｆ”の変更前に戻す回復要求を出力する。
【００２４】
自ポートのＩＦユニット１１内の優先度制御部２２Ａは、変更要求を検出すると、ｐ２ｐ信号の優先度を“Ｆ”→“Ｃ”に変更する。そして、自ポートのＩＦユニット１１内の信号処理部２２Ｂは、ｐ２ｐ信号の優先度を変更し、ＳＷユニット１２経由で“Ｃ”のｐ２ｐ信号を出力ポートのＩＦユニット１１に入力する。
【００２５】
出力ポートのＩＦユニット１１内の信号処理部２２Ｂは、ｍｐ２ｍｐ信号の予備信号及びｐ２ｐ信号を入力し、ｐ２ｐ信号の優先度がｍｐ２ｍｐ信号の優先度よりも高いため、ｐ２ｐ信号に出力ポートの使用帯域を優先的に割り当てる。そして、出力ポートのＩＦユニット１１内の信号処理部２２Ｂは、ｐ２ｐ信号に使用帯域を優先的に割り当てた後、ｐ２ｐ信号を優先的に出力する。また、ｐ２ｐ信号を優先的に出力する際、信号処理部２２Ｂは、回復要求を検出しているため、使用帯域をｐ２ｐ信号に優先的に割当てた後、出力するｐ２ｐ信号の優先度を“Ｃ”から変更前の“Ｆ”に戻し、優先度“Ｆ”のｐ２ｐ信号を相手先ノード２に出力する。つまり、ｐ２ｐ信号に自ポートの使用帯域を優先的に割り当てた後、ｐ２ｐ信号の優先度を変更前の優先度に戻すことで相手先ノード２に対する優先度変更の影響を防止できる。
【００２６】
図２に示す伝送システム１では、例えば、第１のノード２ＡをＲｏｏｔノードとし、第１のノード２Ａから第４のノード２Ｄに対してｍｐ２ｍｐ信号を配信するものとする。ｍｐ２ｍｐ信号配信時の運用パスは、第１のノード２Ａ→第２のノード２Ｂ→第４のノード２Ｄとする。この際、第１のノード２Ａ→第２のノード２Ｂの運用パス上の第１のノード２Ａ側のポートロール／ポート状態はＤｅｓｉｇｎａｔｅｄ／Ｆｏｒｗａｒｄ、第２のノード２Ｂ側のポートロール／ポート状態はＲｏｏｔ／Ｆｏｒｗａｒｄとなる。第２のノード２Ｂ→第４のノード２Ｄの運用パス上の第２のノード２Ｂ側のポートロール／ポート状態はＤｅｓｉｇｎａｔｅｄ／Ｆｏｒｗａｒｄ、第４のノード２Ｄ側のポートロール／ポート状態はＲｏｏｔ／Ｆｏｒｗａｒｄとなる。
【００２７】
また、ｍｐ２ｍｐ信号配信時の予備パスは、第１のノード２Ａ→第３のノード２Ｃ→第４のノード２Ｄの第１の予備パスと、第１のノード２Ａ→第３のノード２Ｃ→第２のノード２Ｂ→第４のノード２Ｄの第２の予備パスとを有する。第１のノード２Ａ→第３のノード２Ｃの第１の予備パス上の第１のノード２Ａ側のポートロール／ポート状態はＤｅｓｉｇｎａｔｅｄ／Ｆｏｒｗａｒｄ、第３のノード２Ｃ側のポートロール／ポート状態はＲｏｏｔ／Ｆｏｒｗａｒｄとなる。更に、第３のノード２Ｃ→第４のノード２Ｄの第１の予備パス上の第３のノード２Ｃ側のポートロール／ポート状態は、Ｄｅｓｉｇｎａｔｅｄ／Ｆｏｒｗａｒｄ、第４のノード２Ｄ側のポートロール／ポート状態は、Ａｌｔｅｒｎａｔｅｄ／Ｄｉｓｃａｒｄとなる。尚、第４のノード２Ｄは、運用パス上の第１のノード２Ａからのｍｐ２ｍｐ信号の重複受信を回避するため、第３のノード２Ｃからの予備信号を廃棄すべく、Ａｌｔｅｒｎａｔｅｄ／Ｄｉｓｃａｒｄに設定している。
【００２８】
また、第１のノード２Ａ→第３のノード２Ｃの第２の予備パス上の第１のノード２Ａ側のポートロール／ポート状態は、Ｄｅｓｉｇｎａｔｅｄ／Ｆｏｒｗａｒｄ、第３のノード２Ｃ側のポートロール／ポート状態は、Ｒｏｏｔ／Ｆｏｒｗａｒｄとなる。更に、第３のノード２Ｃ→第２のノード２Ｂの第２の予備パス上の第３のノード２Ｃ側のポートロール／ポート状態は、Ｄｅｓｉｇｎａｔｅｄ／Ｆｏｒｗａｒｄ、第２のノード２Ｂ側のポートロール／ポート状態は、Ａｌｔｅｒｎａｔｅｄ／Ｄｉｓｃａｒｄとなる。尚、第２のノード２Ｂは、運用パス上の第１のノード２Ａからのｍｐ２ｍｐ信号の重複受信を回避するため、第３のノード３Ｃからの予備信号を廃棄すべく、Ａｌｔｅｒｎａｔｅｄ／Ｄｉｓｃａｒｄに設定している。
【００２９】
つまり、図２に示す伝送システム１では、第１のノード２Ａから第４のノード２Ｄへのｍｐ２ｍｐ信号配信に運用パスを使用し、運用パスに障害が生じた場合、運用パスを第１の予備パス又は第２の予備パスに切り替える。第１のノード２Ａは、例えば、切替後の第１の予備パス経由でｍｐ２ｍｐ信号を第４のノード２Ｄに配信する。この際、第１の予備パス上の第４のノード２Ｄは、Ａｌｔｅｒｎａｔｅｄ／Ｄｉｓｃａｒｄに設定しているため、第３のノード２Ｃからのｍｐ２ｍｐ信号の予備信号を廃棄する。また、第２の予備パス上の第３のノード２Ｃは、Ａｌｔｅｒｎａｔｅｄ／Ｄｉｓｃａｒｄに設定しているため、第２のノード２Ｂからのｍｐ２ｍｐ信号の予備信号を廃棄する。
【００３０】
図４は、各ノード２のポートの状態遷移図である。各ノード２内のポートに相当するＩＦユニット１１のポートロールは、Ｄｅｓｉｇｎａｔｅｄ、Ｒｏｏｔ、Ａｌｔｅｒｎａｔｅｄ及びＤｉｓａｂｌｅの４種類である。Ｄｅｓｉｇｎａｔｅｄは、運用パス又は予備パスで使用するポート、Ｒｏｏｔは、Ｒｏｏｔノードからの信号に使用するポート、Ａｌｔｅｒｎａｔｅｄは、予備パスで受信した予備信号を廃棄するポート、Ｄｉｓａｂｌｅは、閉鎖中のポートに相当する。ポート状態は、例えば、Ｆｏｒｗａｒｄ及びＤｉｓｃａｒｄの２種類ある。Ｆｏｒｗａｒｄは、信号を転送するポート状態、Ｄｉｓｃａｒｄは、信号を廃棄するポート状態である。
【００３１】
Ｄｅｓｉｇｎａｔｅｄ、Ｒｏｏｔ及びＡｌｔｅｒｎａｔｅｄのポートは、パス上の障害を検出すると、Ｄｉｓａｂｌｅ／Ｄｉｓｃａｒｄに遷移する（ステップＳ６１）。Ｄｉｓａｂｌｅ／Ｄｉｓｃａｒｄのポートは、パス上の障害復旧を検出すると、Ｄｅｓｉｇｎａｔｅｄ／Ｆｏｒｗａｒｄ（Ｄｉｓｃａｒｄ）に遷移する（ステップＳ６２）。Ｒｏｏｔ／Ｆｏｒｗａｒｄ（Ｄｉｓｃａｒｄ）のポートは、相手先ノード２からＢＰＤＵ信号断を検出すると、Ｄｅｓｉｇｎａｔｅｄ／Ｆｏｒｗａｒｄ（Ｄｉｓｃａｒｄ）に遷移する（ステップＳ６３）。Ａｌｔｅｒｎａｔｅｄ／Ｆｏｒｗａｒｄ（Ｄｉｓｃａｒｄ）のポートは、相手先ノード２からＢＰＤＵ信号断を検出すると、Ｄｅｓｉｇｎａｔｅｄ／Ｆｏｒｗａｒｄ（Ｄｉｓｃａｒｄ）に遷移する（ステップＳ６４）。Ｄｅｓｉｇｎａｔｅｄ／Ｆｏｒｗａｒｄ（Ｄｉｓｃａｒｄ）のポートは、相手先ノード２とのＢＰＤＵ信号のＰｒｏｐｏｓａｌに応じてＡｌｔｅｒｎａｔｅｄ又はＲｏｏｔ／Ｆｏｒｗａｒｄ（Ｄｉｓｃａｒｄ）に遷移する（ステップＳ６５）。Ａｌｔｅｒｎａｔｅｄ／Ｆｏｒｗａｒｄ（Ｄｉｓｃａｒｄ）のポートは、ＢＰＤＵ信号のＰｒｏｐｏｓａｌに応じてＤｅｓｉｇｎａｔｅｄ又はＲｏｏｔ／Ｆｏｒｗａｒｄ（Ｄｉｓｃａｒｄ）に遷移する（ステップＳ６５）。Ｒｏｏｔ／Ｆｏｒｗａｒｄ（Ｄｉｓｃａｒｄ）のポートは、ＢＰＤＵ信号のＰｒｏｐｏｓａｌに応じてＤｅｓｉｇｎａｔｅｄ又はＡｌｔｅｒｎａｔｅｄ／Ｆｏｒｗａｒｄ（Ｄｉｓｃａｒｄ）に遷移する（ステップＳ６５）。
【００３２】
図５は、同一ポート競合時の伝送システム１の一例を示す説明図である。図５に示すｐ２ｐ信号の配信は、例えば、第３のノード２Ｃ→第２のノード２Ｂのパスを使用するものとする。尚、説明の便宜上、ｍｐ２ｍｐ信号の運用パス、第１の予備パス及び第２の予備パスは、図２に示す伝送システム１の設定と同一とする。また、ｍｐ２ｍｐ信号の優先度を“Ｄ”、ｐ２ｐ信号の優先度を“Ｆ”とする。
【００３３】
各ノード２の各ＩＦユニット１１では、自ポートで複数の信号が競合した場合、各信号の優先度を収集し、各信号の優先度を比較する。ＩＦユニット１１は、優先度の比較結果に基づいて、優先度が上位の信号に自ポートの使用帯域を優先的に割り当てるシェイピング処理を実行する。
【００３４】
図５に示す伝送システム１のｐ２ｐ信号の配信に使用する第３のノード２ＣのポートＸは、ｍｐ２ｍｐ信号の第２の予備パスにも使用しているため、ｐ２ｐ信号及びｍｐ２ｍｐ信号の配信に競合している。第３のノード２Ｃは、ポートＸでｐ２ｐ信号及びｍｐ２ｍｐ信号が競合し、ｍｐ２ｍｐ信号の優先度がｐ２ｐ信号の優先度よりも高くても、ｍｐ２ｍｐ信号が第２の予備パス上の第２のノード２Ｂ側で廃棄対象となる。従って、第３のノード２Ｃは、ｐ２ｐ信号の優先度をｍｐ２ｍｐ信号の優先度よりも高くなるように変更する。その結果、第３のノード２Ｃは、ｐ２ｐ信号にポートＸの使用帯域を優先的に割り当て第３のノード２Ｃ→第２のノード２Ｂのパス上でｐ２ｐ信号を優先的に出力する。
【００３５】
図６は、同一ポート競合時のポート使用帯域の各信号の割当構成の一例を示す説明図である。図６の（Ａ）に示す第３のノード２ＣのポートＸでは、ｍｐ２ｍｐ信号の優先度が“Ｄ”、ｐ２ｐ信号の優先度が“Ｆ”のため、ｍｐ２ｍｐ信号に使用帯域を優先的に割り当て、余剰の使用帯域にｐ２ｐ信号を割り当てる。しかしながら、第３のノード２ＣのポートＸは、ｍｐ２ｍｐ信号が予備信号で第２の予備パス上の第２のノード２Ｂ側で廃棄することになるため、ｐ２ｐ信号の優先度を“Ｆ”→“Ｃ”に変更する。その結果、図６の（Ｂ）に示す第３のノード２ＣのポートＸでは、ｐ２ｐ信号の優先度“Ｃ”がｍｐ２ｍｐ信号の優先度よりも高くなるため、ｐ２ｐ信号に使用帯域を優先的に割り当て、余剰の使用帯域にｍｐ２ｍｐ信号を割り当てる。その結果、ｐ２ｐ信号が廃棄対象のｍｐ２ｍｐ信号に阻害されることなく伝送できる。
【００３６】
次に本実施例の伝送システム１の動作について説明する。図７は、優先度設定処理実行前の伝送システム１の動作の一例（相手先ノード２のポートがＡｌｔｅｒｎａｔｅｄポートの場合）を示す説明図である。図８は、優先度設定処理実行後の伝送システム１の動作の一例（相手先ノード２のポートがＡｌｔｅｒｎａｔｅｄポートの場合）を示す説明図である。尚、図７及び図８の伝送システム１は、説明の便宜上、第３のノード２Ｃ→第２のノード２Ｂのパスにｐ２ｐ信号を使用し、図２に示すようにｍｐ２ｍｐ信号の運用パス、第１の予備パス及び第２の予備パスを使用しているものとする。更に、ｍｐ２ｍｐ信号の優先度を“Ｄ”、ｐ２ｐ信号の優先度を“Ｆ”とする。そして、第３のノード２Ｃの第４のＩＦユニット１１Ｄは、ｐ２ｐ信号及びｍｐ２ｍｐ信号の予備信号が競合している。
【００３７】
第２のノード２Ｂの管理ユニット１３内のシステムＣＰＵ４３内の監視部４３Ａは、第３のノード２Ｃの管理ユニット１３内のシステムＣＰＵ４３との間のＢＰＤＵ通信で状態情報を取得する。第３のノード２ＣのシステムＣＰＵ４３内の判定部４３Ｂは、第２のノード２Ｂ内の第３のＩＦユニット１１Ｃのポートロール及びポート状態がＡｌｔｅｒｎａｔｅｄ／Ｄｉｓｃａｒｄと判断する。
【００３８】
第３のノード２Ｃの判定部４３Ｂは、相手ポートがＡｌｔｅｒｎａｔｅｄ／Ｄｉｓｃａｒｄの場合、相手ポートがｍｐ２ｍｐ信号を予備信号として廃棄処理すると判定する。第３のノード２Ｃの制御部４３Ｃは、相手ポートがｍｐ２ｍｐ信号の予備信号として廃棄処理すると判定された場合、ｐ２ｐ信号の優先度がｍｐ２ｍｐ信号の優先度よりも高くなるように“Ｆ”→“Ｃ”に変更する変更要求を自ポートの入力段である第３のＩＦユニット１１Ｃの優先度制御部２２Ａに出力する。
【００３９】
図８に示す第３のノード２Ｃ内の第３のＩＦユニット１１Ｃ内のＮＷプロセッサ２２は、変更要求を検出すると、入力したｐ２ｐ信号の優先度を“Ｆ”→“Ｃ”に変更する。第３のノード２Ｃ内の第４のＩＦユニット１１Ｄは、第３のＩＦユニット１１Ｃからのｐ２ｐ信号と、第２のＩＦユニット１１Ｂからのｍｐ２ｍｐ信号との優先度を比較する。第４のＩＦユニット１１Ｄは、ｐ２ｐ信号の優先度“Ｃ”とｍｐ２ｍｐ信号の優先度“Ｄ”とを比較し、ｐ２ｐ信号に自ポートの使用帯域を優先的に割り当てる。そして、第４のＩＦユニット１１Ｄは、ｐ２ｐ信号に自ポートの使用帯域を優先的に割り当てた後、ｐ２ｐ信号の優先度を変更前の優先度に戻して対向側である第２のノード２Ｂの第３のＩＦユニット１１Ｃに出力する。その結果、自ポートがｐ２ｐ信号及びｍｐ２ｍｐ信号の予備信号で競合した場合でも、ｍｐ２ｍｐ信号によるｐ２ｐ信号の伝送阻害を防止できる。
【００４０】
図９は、優先度設定処理実行前の伝送システム１の動作の一例（自ポートがＡｌｔｅｒｎａｔｅｄポートの場合）を示す説明図、図１０は、優先度設定処理実行後の伝送システム１の動作の一例（自ポートがＡｌｔｅｒｎａｔｅｄポートの場合）を示す説明図である。尚、図９及び図１０の伝送システム１は、説明の便宜上、第２のノード２Ｂ→第３のノード２Ｃのパスにｐ２ｐ信号を使用し、ｍｐ２ｍｐ信号の運用パスとして、第４のノード２Ｃ→第２のノード２Ｂ→第１のノード２Ａを使用する。また、第１の予備パスとして第４のノード２Ｄ→第３のノード２Ｃ→第１のノード２Ａを使用し、第２の予備パスとして第４のノード２Ｄ→第２のノード２Ｂ→第３のノード２Ｃ→第１のノード２Ａを使用する。更に、ｍｐ２ｍｐ信号の優先度を“Ｄ”、ｐ２ｐ信号の優先度を“Ｆ”とする。そして、第２のノード２Ｂの第３のＩＦユニット１１Ｃは、ｐ２ｐ信号及びｍｐ２ｍｐ信号の予備信号が競合している。
【００４１】
第２のノード２Ｂの管理ユニット１３内のシステムＣＰＵ４３内の監視部４３Ａは、自ノード内のＩＦユニット１１の状態を監視する。第２のノード２ＢのシステムＣＰＵ４３内の判定部４３Ｂは、自ノードである第３のＩＦユニット１１Ｃのポートロール及びポート状態を確認し、Ａｌｔｅｒｎａｔｅｄ／Ｄｉｓｃａｒｄと判断する。
【００４２】
第２のノード２Ｂの判定部４３Ｂは、自ポートがＡｌｔｅｒｎａｔｅｄ／Ｄｉｓｃａｒｄの場合、出力ポートがｍｐ２ｍｐ信号を予備信号として廃棄処理すると判定する。第２のノード２Ｂの制御部４３Ｃは、自ポートがｍｐ２ｍｐ信号の予備信号として廃棄処理すると判定した場合、ｐ２ｐ信号の優先度をｍｐ２ｍｐ信号の優先度よりも高くなるように“Ｆ”→“Ｃ”に変更する変更要求を自ポートの入力段である第４のＩＦユニット１１Ｄの優先度制御部２２Ａに出力する。
【００４３】
図１０に示す第２のノード２Ｂ内の第４のＩＦユニット１１Ｄ内のＮＷプロセッサ２２は、変更要求を検出すると、入力したｐ２ｐ信号の優先度を“Ｆ”→“Ｃ”に変更する。第２のノード２Ｂ内の第３のＩＦユニット１１Ｃは、第４のＩＦユニット１１Ｄからのｐ２ｐ信号と、第５のＩＦユニット１１Ｅからのｍｐ２ｍｐ信号との優先度を比較する。第３のＩＦユニット１１Ｃは、ｐ２ｐ信号の優先度“Ｃ”とｍｐ２ｍｐ信号の優先度“Ｄ”とを比較し、ｐ２ｐ信号に自ポートの使用帯域を優先的に割り当てる。そして、第３のＩＦユニット１１Ｃは、ｐ２ｐ信号に自ポートの使用帯域を優先的に割り当てた後、ｐ２ｐ信号の優先度を変更前の優先度に戻して第３のノード２Ｃの第４のＩＦユニット１１Ｄに出力する。その結果、自ポートがｐ２ｐ信号及びｍｐ２ｍｐ信号の予備信号で競合した場合でも、ｍｐ２ｍｐ信号によるｐ２ｐ信号の伝送阻害を防止できる。
【００４４】
図１１及び図１２は、優先度設定処理に関わるノード２の処理動作の一例を示すフローチャートである。優先度設定処理は、ｐ２ｐ信号及びｍｐ２ｍｐ信号が同一ポートで競合し、自ポート及び自ポートの出力先がｍｐ２ｍｐ信号を予備信号として廃棄処理する場合に、ｐ２ｐ信号の優先度をｍｐ２ｍｐ信号の優先度よりも高く設定する処理である。
【００４５】
図１１においてノード２のシステムＣＰＵ４３内の監視部４３Ａは、他のノード２との間でＢＰＤＵ信号を送受信したか否かを判定する（ステップＳ１１）。監視部４３Ａは、ＢＰＤＵ信号を送受信した場合（ステップＳ１１肯定）、自ノード２がＲｏｏｔノードであるか否かを判定する（ステップＳ１２）。
【００４６】
監視部４３Ａは、自ノード２がＲｏｏｔノードでない場合（ステップＳ１２否定）、自ノード２側のポートロールを確認する（ステップＳ１３）。判定部４３Ｂは、自ノード２側のポートロールの確認結果として自ポートがＤｅｓｉｇｎａｔｅｄの場合（ステップＳ１４）、相手先ノード２からＡｇｒｅｅｍｅｎｔを受信したか否かを判定する（ステップＳ１５）。監視部４３Ａは、相手先ノード２からＡｇｒｅｅｍｅｎｔを受信した場合（ステップＳ１５肯定）、相手先ノード２側のポートロールを確認する（ステップＳ１６）。
【００４７】
判定部４３Ｂは、相手先ノード２側のポートロールの確認結果として相手先ポートがＡｌｔｅｒｎａｔｅｄの場合（ステップＳ１７）、自ポートロール：相手先ポートロールがＤｅｓｉｇｎａｔｅｄ：Ａｌｔｅｒｎａｔｅｄと判断する（ステップＳ１８）。そして、判定部４３Ｂは、Ｄｅｓｉｇｎａｔｅｄ:Ａｌｔｅｒｎａｔｅｄと判断し、図１２に示すＭ１に移行する。
【００４８】
図１２に示すＭ１においてシステムＣＰＵ４３内の制御部４３Ｃは、ｐ２ｐ信号のパスを検索し（ステップＳ３１）、検索されたｐ２ｐ信号のパス上を通過するｐ２ｐ信号の優先度を優先度テーブル４４から取得する（ステップＳ３２）。更に、制御部４３Ｃは、ｍｐ２ｍｐ信号のパス上を通過するｍｐ２ｍｐ信号の優先度を優先度テーブル４４から取得する（ステップＳ３３）。
【００４９】
制御部４３Ｃは、ｐ２ｐ信号の優先度がｍｐ２ｍｐ信号の優先度未満であるか否かを判定する（ステップＳ３４）。制御部４３Ｃは、ｐ２ｐ信号の優先度がｍｐ２ｍｐ信号の優先度未満の場合（ステップＳ３４肯定）、ｐ２ｐ信号の優先度をｍｐ２ｍｐ信号の優先度よりも高く設定し（ステップＳ３５）、図１１に示すＭ２に移行する。その結果、ＩＦユニット１１は、ｐ２ｐ信号及びｍｐ２ｍｐ信号の予備信号が競合した場合、ｐ２ｐ信号の優先度をｍｐ２ｍｐ信号の優先度よりも高く設定したので、使用帯域にｐ２ｐ信号を優先的に割り当てる。更に、余剰の使用帯域がある場合、その余剰の使用帯域にｍｐ２ｍｐ信号を割り当てる。
【００５０】
また、制御部４３Ｃは、ｐ２ｐ信号の優先度がｍｐ２ｍｐ信号の優先度未満でない場合（ステップＳ３４否定）、優先度を変更することなく、図１１に示すＭ２に移行する。その結果、ＩＦユニット１１は、ｐ２ｐ信号及びｍｐ２ｍｐ信号の予備信号の優先度を比較し、優先度の高い方の信号に使用帯域を優先的に割り当てる。
【００５１】
また、図１１において判定部４３Ｂは、ステップＳ１３の自ノード２のポートロールの確認結果として自ポートがＡｌｔｅｒｎａｔｅｄの場合（ステップＳ１９）、図１１に示すＭ１に移行する。図１１において監視部４３Ａは、ＢＰＤＵ信号を送受信しなかった場合（ステップＳ１１否定）、又は、自ノードがＲｏｏｔノードの場合（ステップＳ１２肯定）、ステップＳ１１に移行する。
【００５２】
また、監視部４３Ａは、ステップＳ１３の自ノード２のポートロール確認結果として自ポートがＲｏｏｔの場合（ステップＳ２０）、ｐ２ｐ信号のパス上のｐ２ｐ信号の優先度を設定し（ステップＳ２１）、優先度を変更することなく、ステップＳ１１に移行する。
【００５３】
また、監視部４３Ａは、相手先ノード２からＡｇｒｅｅｍｅｎｔを受信しなかった場合（ステップＳ１５否定）、ＴＣＮのＢＰＤＵ信号を転送されたか否かを判定する（ステップＳ２２）。監視部４３Ａは、ＴＣＮのＢＰＤＵ信号を送信する場合（ステップＳ２２肯定）、ＢＰＤＵ信号を送信し（ステップＳ２３）、優先度を変更することなく、ステップＳ１１に移行する。監視部４３Ａは、ＴＣＮのＢＰＤＵを転送されない場合（ステップＳ２２否定）、優先度を変更することなく、ステップＳ１１に移行する。
【００５４】
監視部４３Ａは、ステップＳ１６の相手先ノード２のポートロールの確認結果として相手先ポートがＲｏｏｔの場合（ステップＳ２４）、自ノード２のポートロール：相手先ノード２のポートロールがＤｅｓｉｇｎａｔｅｄ：Ｒｏｏｔと判断する（ステップＳ２５）。制御部４３Ｃは、ｐ２ｐ信号の優先度を設定し（ステップＳ２６）、優先度を変更することなく、ステップＳ１１に移行する。
【００５５】
優先度設定処理のノード２は、ｐ２ｐ信号及びｍｐ２ｍｐ信号が同一ポートで競合し、相手先ノード２のポートがｍｐ２ｍｐ信号の予備信号を廃棄処理する場合、ｐ２ｐ信号の優先度をｍｐ２ｍｐ信号の優先度よりも高く設定する。ノード２は、ｐ２ｐ信号にポートの使用帯域を優先的に割り当てる。その結果、ｐ２ｐ信号が優先的に出力されるため、廃棄対象のｍｐ２ｍｐ信号の予備信号によるｐ２ｐ信号の伝送阻害を防止できる。そして、物理帯域の有効活用が図れる。
【００５６】
ノード２は、ｐ２ｐ信号及びｍｐ２ｍｐ信号が同一ポートで競合し、自ポートがｍｐ２ｍｐ信号の予備信号を廃棄処理する場合、ｐ２ｐ信号の優先度をｍｐ２ｍｐ信号の優先度よりも高く設定する。ノード２は、ｐ２ｐ信号にポートの使用帯域を優先的に割り当てる。その結果、ｐ２ｐ信号が優先的に出力されるため、廃棄対象のｍｐ２ｍｐ信号の予備信号によるｐ２ｐ信号の伝送阻害を防止できる。そして、物理帯域の有効活用が図れる。
【００５７】
上記実施例のノード２は、自ポートでｍｐ２ｍｐ信号及びｐ２ｐ信号が競合し、自ポートがｍｐ２ｍｐ信号を冗長構成の予備信号として廃棄処理する場合に、ｍｐ２ｍｐ信号の優先度よりも高くなるように自ポートに入力するｐ２ｐ信号の優先度を変更する。その結果、ｐ２ｐ信号の優先度を高くすることで、廃棄対象のｍｐ２ｍｐ信号によるｐ２ｐ信号の伝送阻害を防止し、物理帯域の有効活用が図れる。
【００５８】
ノード２は、自ポートでｍｐ２ｍｐ信号及びｐ２ｐ信号が競合し、自ポートの出力先がｍｐ２ｍｐ信号を予備信号として廃棄処理する場合に、ｍｐ２ｍｐ信号の優先度よりも高くなるように自ポートに入力するｐ２ｐ信号の優先度を変更する。その結果、ｐ２ｐ信号の優先度を高くすることで、廃棄対象のｍｐ２ｍｐ信号によるｐ２ｐ信号の伝送阻害を防止し、物理帯域の有効活用が図れる。
【００５９】
ノード２は、ｍｐ２ｍｐ信号及びｐ２ｐ信号が自ポートに入力する前段のＩＦユニット１１でｐ２ｐ信号の優先度を変更し、ｐ２ｐ信号を自ポートの使用帯域に優先的に割り当てる。その結果、ｍｐ２ｍｐ信号と競合する自ポートに入力する前段のＩＦユニット１１でｐ２ｐ信号の優先度を変更するため、優先度変更の影響を最小限に抑えることができる。
【００６０】
ノード２は、ｐ２ｐ信号の優先度を変更し、ｍｐ２ｍｐ信号及びｐ２ｐ信号に自ポートの使用帯域を割り当てた後、ｐ２ｐ信号の優先度を変更前の優先度に戻して出力する。その結果、相手先ノード２側での優先度変更による影響を防止できる。
【００６１】
ノード２は、相手先ノード２か相手先ノードのポートの状態を示す状態情報をＢＰＤＵ信号で収集し、相手先ポートの状態情報がＡｌｔｅｒｎａｔｅｄ／Ｄｉｓｃａｒｄの場合に、相手先ポートがｍｐ２ｍｐ信号を予備信号として廃棄処理すると判定する。その結果、ノード２は、ＢＰＤＵ信号を使用して相手先ノード２のポート状態を簡単に認識できる。
【００６２】
尚、上記実施例では、ｍｐ２ｍｐ信号及びｐ２ｐ信号を同一ポートで競合した場合を例示したが、同一ポートでｍｐ２ｍｐ信号を廃棄するか否かに関係なく、ｍｐ２ｍｐ信号が予備信号の場合にはｐ２ｐ信号の優先度を変更するようにしても良い。
【００６３】
また、上記実施例では、マルチキャスト方式の冗長構成のｍｐ２ｍｐ信号を例示したが、冗長構成を有するブロードキャスト方式の信号にも適用可能である。
【００６４】
また、上記実施例では、自ポートでｐ２ｐ信号及びｍｐ２ｍｐ信号が競合し、自ポート又は自ポートの出力先でｍｐ２ｍｐ信号を予備信号として廃棄処理する場合にｐ２ｐ信号の優先度を変更する。しかしながら、ｐ２ｐ信号のユニキャスト方式の信号に限定されるものではなく、マルチキャスト方式又はブロードキャスト方式の信号にも適用可能である。例えば、自ポートでマルチキャスト方式の第１の信号（運用信号）及び第２の信号（予備信号）が競合し、自ポートが第２の信号を廃棄処理する場合に、運用信号である第１の信号の優先度を変更するようにしても良い。
【００６５】
上記実施例では、ｐ２ｐ信号がｍｐ２ｍｐ信号の優先度よりも高くなるように、ｐ２ｐ２信号の優先度を変更するようにしたが、ｐ２ｐ信号がｍｐ２ｍｐ信号の優先度よりも高くなるようにｍｐ２ｍｐ信号の優先度を変更しても良い。しかしながら、ｍｐ２ｍｐ信号は、マルチキャスト方式であるため、優先度を変更した場合には、その影響は他のノード２に及ぶため、ｐ２ｐ信号の優先度を変更する方が望ましい。
【００６６】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【００６７】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【００６８】
ところで、本実施例で説明した各種の処理は、予め用意されたプログラムを伝送装置内のＣＰＵ等のプロセッサで実行させることによって実現できる。そこで、以下では、上記実施例と同様の機能を有するプログラムを実行する伝送装置の一例を説明する。図１３は、伝送プログラムを実行する伝送装置の一例を示す説明図である。
【００６９】
図１３に示す伝送プログラムを実行する伝送装置１００は、通信インタフェース１１０と、ＨＤＤ１２０と、ＲＯＭ１３０と、ＲＡＭ１４０と、ＣＰＵ１５０とを有する。更に、通信インタフェース１１０、ＨＤＤ１２０、ＲＯＭ１３０、ＲＡＭ１４０及びＣＰＵ１５０は、バス１６０を介して接続される。
そして、ＲＯＭ１３０には、上記実施例と同様の機能を発揮する伝送プログラムが予め記憶されている。ＲＯＭ１３０は、伝送プログラムとして割当プログラム１３０Ａ、判定プログラム１３０Ｂ及び制御プログラム１３０Ｃが記憶されている。尚、ＲＯＭ１３０ではなく、図示せぬドライブで読取可能な記録媒体に伝送プログラムが記録されていても良い。また、記録媒体としては、例えば、ＣＤ−ＲＯＭ、ＤＶＤディスク、ＵＳＢメモリ等の可搬型記録媒体、フラッシュメモリ等の半導体メモリ等でも良い。
【００７０】
そして、ＣＰＵ１５０は、割当プログラム１３０ＡをＲＯＭ１３０から読み出して割当プロセス１５０Ａとして機能する。更に、ＣＰＵ１５０は、判定プログラム１３０ＢをＲＯＭ１３０から読み出して判定プロセス１５０Ｂとして機能する。更に、ＣＰＵ１５０は、制御プログラム１３０ＣをＲＯＭ１３０から読み出して制御プロセス１５０Ｃとして機能する。
【００７１】
ＣＰＵ１５０は、自装置内の同一ポートに入力する第１の信号及び第２の信号の優先度に応じて、前記優先度が高い方の信号に当該ポートの帯域を割り当てる。ＣＰＵ１５０は、自装置内の自ポート又は自ポートの出力先が前記第１の信号を冗長構成の予備に使用するか否かを判定する。ＣＰＵ１５０は、自ポート又は出力先が前記第１の信号を前記予備に使用すると判定された場合に、前記第１の信号の優先度よりも高くなるように、前記自ポートに入力する前記第２の信号の優先度を変更する。その結果、物理帯域の有効活用が図れる。
【符号の説明】
【００７２】
１  伝送システム
２  ノード
１１  ＩＦユニット
２２Ｂ  信号処理部
４３Ａ  監視部
４３Ｂ  判定部
４３Ｃ  制御部
【図１】
2015192237.tif 000003
【図２】
2015192237.tif 000004
【図３】
2015192237.tif 000005
【図４】
2015192237.tif 000006
【図５】
2015192237.tif 000007
【図６】
2015192237.tif 000008
【図７】
2015192237.tif 000009
【図８】
2015192237.tif 000010
【図９】
2015192237.tif 000011
【図１０】
2015192237.tif 000012
【図１１】
2015192237.tif 000013
【図１２】
2015192237.tif 000014
【図１３】
2015192237.tif 000015